(57)【特許請求の範囲】
【請求項１】
体毛を剃ったり引き抜いたりする体毛処理を行う体毛処理部に塗布部を設け、この塗布部によって体毛処理が行われる肌面に処理剤を塗布するように体毛処理器具を構成し、この体毛処理器具が立て置かれる処理剤供給スタンドに、立て置かれた体毛処理器具の塗布部に処理剤を供給する吐出部と、この吐出部に供給する処理剤を貯蔵する貯蔵部とを備えたことを特徴とする体毛処理器具の処理剤供給装置。
【請求項２】
上記塗布部を、処理剤を吸着させる多孔質材で形成したことを特徴とする請求項１記載の体毛処理器具の処理剤供給装置。
【請求項３】
立て置かれた体毛処理器具の電源部に充電を行う充電部を処理剤供給スタンドに設けたことを特徴とする請求項１記載の体毛処理器具の処理剤供給装置。
【請求項４】
上記吐出部を、貯蔵部にある処理剤を吸着させて塗布部に至らしめる多孔質材で形成したことを特徴とする請求項１記載の体毛処理器具の処理剤供給装置。
【発明の詳細な説明】
【０００１】
【発明の属する技術分野】
本発明は、体毛を剃ったり引き抜いたりする体毛処理が行われる肌面に処理剤を塗布するための体毛処理器具の処理剤供給装置に関する発明である。
【０００２】
【従来の技術】
従来から、体毛を剃ったり引き抜いたりする体毛処理を行うに際しては、体毛処理が行われる肌面にシェービングローションなどの処理剤を塗布し、体毛を軟化させて処理し易い状態にしたり、カミソリ負けなどの肌荒れの防止や肌面のケアを施すようにすることが行われている。一般的に、肌面に処理剤を塗布して行う体毛処理は、手作業でカミソリ刃を肌面に沿わせるカミソリ器を用いる場合に多かったが、近年では、電動で駆動するカミソリ刃が肌面を傷つける恐れのある電気カミソリ１ａの使用時にも、また電動で駆動する毛抜き部が肌面を傷つける恐れのある電動毛抜き器の使用時にも行われるようになってきている。
【０００３】
たとえば、特表２０００−５０００５５（図１７）や、ＷＯ  ００／４８７９６（図１８）には、刃部４の近傍で肌面に処理剤を供給できるようにした電気カミソリ１ａが開示されている。これらの電気カミソリ１ａはいずれも、肌面に処理剤を供給する処理剤供給器具２を電気カミソリ１ａに一体に備えて構成したものである。なお、図中４４は処理剤を刃部４の近傍に供給する処理剤供給路である。このように、処理剤供給器具２を電気カミソリ１ａに一体に備えると、電気カミソリ１ａが処理剤供給器具２を備えた分、大きく重量も重いものになってしまい、電気カミソリ１ａの把持が行い難くなって使い勝手が悪くなるといった問題を有するものであった。しかも、処理剤供給器具２を電気カミソリ１ａに一体に備えたことで、肌面に処理剤を塗布せずに行うドライシェービングを行う際にも、かさも重量も大きくて把持しにくい電気カミソリ１ａを用いねばならなく、このとき、使用者は特に使い勝手の悪さを感じてしまうものであった。
【０００４】
【発明が解決しようとする課題】
本発明は上記の点に鑑みてなされたものであり、体毛処理器具の使い勝手を悪化させないようにして、体毛処理が行われる肌面に処理剤を適宜供給できるようにした体毛処理器具の処理剤供給装置を提供することを課題とするものである。
【０００５】
【課題を解決するための手段】
上記課題を解決するために本発明に係る体毛処理器具の処理剤供給装置は、体毛を剃ったり引き抜いたりする体毛処理を行う体毛処理部に塗布部２７を設け、この塗布部２７によって体毛処理が行われる肌面に処理剤を塗布するように体毛処理器具１を構成し、この体毛処理器具１が立て置かれる処理剤供給スタンド２ｂに、立て置かれた体毛処理器具１の塗布部２７に処理剤を供給する吐出部３１と、この吐出部３１に供給する処理剤を貯蔵する貯蔵部３２とを備えたことを特徴とする。これによると、体毛処理器具１を処理剤供給スタンド２ｂに立て置いた状態で体毛処理器具１の塗布部２７に処理剤が供給され、処理剤供給スタンド２ｂから外した体毛処理器具１の塗布部２７によって肌面に処理剤を塗布することができるのであって、肌面に処理剤を塗布して体毛処理を行う際、肌面に処理剤を塗布しないで体毛処理を行う際のいずれにも、処理剤供給器具２を装着しない体毛処理器具１を単体で用いて体毛処理を行わせることができ、つまり、処理剤供給器具２を装着して使い勝手の悪化した体毛処理器具１を使用しなくてよく、したがって使い勝手よく体毛処理を行うことができる。
【００１３】
また、上記塗布部２７を、処理剤を吸着させる多孔質材で形成したことも好ましい。これによると、多孔質材で形成した塗布部２７は処理剤を溜めようとするので、肌面に徐々に処理剤を塗布できて違和感なく体毛処理を行わせることができると共に、塗布部２７に含ませた処理剤を周囲にこぼしてしまうことも回避できる。
【００１４】
また、立て置かれた体毛処理器具１の電源部に充電を行う充電部４１を処理剤供給スタンド２ｂに設けたことも好ましい。これによると、体毛処理器具１の塗布部２７への処理剤の供給に併用して体毛処理器具１への充電を行うことができる。
【００１５】
また、上記吐出部３１を、貯蔵部３２にある処理剤を吸着させて塗布部２７に至らしめる多孔質材４２で形成したことも好ましい。これによると、塗布部２７にまで処理剤を送るポンプ等が不要で構造を簡単化でき、製造コストの低減化を図ることができる。
【００１６】
【発明の実施の形態】
以下、本発明を添付図面に示す実施形態に基づいて説明する。本発明は、処理剤供給器具２を体毛処理器具１に着脱自在に装着して構成された体毛処理器具の処理剤供給装置であって、処理剤供給器具２によって、体毛処理が行われる肌面、または体毛処理を行う体毛処理器具１の体毛処理部に処理剤を供給できるようにし、体毛処理器具１によって体毛処理を行うのに、その使い勝手の向上を図り得るようにしたものである。
【００１７】
図１乃至図１１に参考例を示す。この例は、体毛処理器具１である電気カミソリ１ａの体毛処理部であるカミソリヘッド部に、髭剃りが行われる肌面にシェービングローションなどの処理剤を塗布する処理剤供給器具２である処理剤供給アタッチメント２ａを、適宜装着するようにした例である。
【００１８】
電気カミソリ１ａは、図３に示すように、先端部に髭を刈る刃部４を配置したカミソリヘッド部を設けると共に、基端部に把持部分となる電気カミソリ本体部を設けて構成されている。電気カミソリ本体部の本体ハウジング５内には、基端側から、電源部である電池６、上記電池６からの給電により駆動する駆動モータ７が収納されている。この駆動モータ７は本体ハウジング５に設けたスイッチハンドル８によってオンオフ制御がされるようになっている。また、電気カミソリ本体部の先端には上記刃部４に駆動モータ７の回転駆動を往復動にして伝動させる伝動機構部９を備えている。ここで、刃部４は、カミソリヘッド部の外殻を形成するヘッドハウジング３に固定された外刃４ａと、伝動機構部９に連結して上記外刃４ａの内面に摺接する内刃４ｂとで構成されていて、外刃４ａの内部に導入した髭を外刃４ａと内刃４ｂとで挟み込んで切断するようにされている。
【００１９】
なお、本例の電気カミソリ１ａではカミソリヘッド部に３つの刃部４が電気カミソリ１ａの厚み方向に並んで設けられている。並設した刃部４のうち中央の刃部４ではその外刃４ａに多数条のスリットを並べて穿設して形成したものを用いており、また、上記中央の刃部４を挟む１対の刃部４ではその外刃４ａに多数の貫通孔を有してネット状に形成したものを用いており、剛柔長短の異なる髭を効率よく外刃４ａの内部に導入して切断することができるようにされている。なお、ヘッドハウジング３は着脱釦１０によって本体ハウジング５に着脱自在にされていて、本体ハウジング５からヘッドハウジング３を取り外すことで内刃４ｂを洗浄できるようにされている。また、電気カミソリ１ａの幅方向におけるヘッドハウジング３の両側面には、処理剤供給アタッチメント２ａの係止爪２３と引っ掛け係止する係止突起１１が設けられている。
【００２０】
処理剤供給アタッチメント２ａは、図４乃至図６に示すように、対向して立設した左縦ブロック部１２と右縦ブロック部１３とを有し、この左縦ブロック部１２及び右縦ブロック部１３の上端で且つ幅方向の両端にそれぞれ架設する１対の連結ブロック部１４とを有して構成されている。そして、１対の連結ブロック部１４、左縦ブロック部１２及び右縦ブロック部１３の上端間には開口部１５が形成されている。この左縦ブロック部１２、右縦ブロック部１３、１対の連結ブロック部１４はそれぞれ内部に中空空間を有して連通するようになっている。左縦ブロック部１２及び右縦ブロック部１３の中空空間は処理剤を貯蔵する貯蔵部１６を構成している。この貯蔵部１６は、左縦ブロック部１２及び右縦ブロック部１３の下端に弾設したバネ１７と、上記バネ１７の付勢で上方に押し上げられるピストン１８とを有しており、このピストン１８により上方に押圧された処理剤は連結ブロック部１４の中空空間に流入するようにされている。なお、本例の貯蔵部１６はその下端が取外しできる蓋１９になっており、この蓋１９を外して貯蔵部１６に処理剤を補充することができるようになっている。また、連結ブロック部１４の中空空間は上記貯蔵部１６から供給された処理剤を肌面に吐出する吐出口２０を有した塗布部２１を構成している。上記吐出口２０は、連結ブロック部１４の上面に開口すると共に、弁体２２によって開け閉め自在にされている。この弁体２２は、吐出口２０を連結ブロック部１４の内方から塞ぐように吐出口２０の縁部近傍に固定された栓板部２２ａと、この栓板部２２ａから上方に突出し、吐出口２０を挿通して連結ブロック部１４の上面よりも上方に先端を位置させる肌当て突起２２ｂとを一体に形成した弾性体である。この弁体２２は、その栓板部２２ａが通常、貯蔵部１６から塗布部２１に流入するような内圧のある処理剤によって連結ブロック部１４の内面に押圧されることで、吐出口２０を閉塞するようにしている。なお、左縦ブロック部１２及び右縦ブロック部１３の対向面にはそれぞれ、電気カミソリ１ａの係止突起１１に引っ掛け係止する係止爪２３が設けられている。
【００２１】
この処理剤供給アタッチメント２ａは、図１乃至図３、図５及び図６に示すように、電気カミソリ１ａのカミソリヘッド部に被せるように取り付けられる。詳述すると、処理剤供給アタッチメント２ａの左縦ブロック部１２及び右縦ブロック部１３を電気カミソリ１ａの幅方向におけるヘッドハウジング３の各側面に沿わせて位置させると共に、１対の連結ブロック部１４を電気カミソリ１ａの厚み方向におけるヘッドハウジング３の各側面に沿わせて位置させ、１対の連結ブロック部１４、左縦ブロック部１２及び右縦ブロック部１３の上端に囲まれた開口部１５に各刃部４を挿通させて連結ブロック部１４の上面より各刃部４の先端面を上方に位置させるようにし、ヘッドハウジング３の各係止突起１１にそれぞれ対向する各係止爪２３を係止させることで、処理剤供給アタッチメント２ａの電気カミソリ１ａへの装着が行われる。
【００２２】
上述したように処理剤供給アタッチメント２ａを装着した電気カミソリ１ａを使用して髭を剃るようにすると、肌面に処理剤供給アタッチメント２ａから処理剤が塗布されつつ電気カミソリ１ａの刃部４で髭が剃られるようになる。電気カミソリ１ａは先端部分の刃部４の外刃４ａを肌面に押圧しつつ摺動させて使用されるのであるが、同時に処理剤供給アタッチメント２ａの上端（先端）部分も肌面を押圧するようにされる。このとき処理剤供給アタッチメント２ａでは、図６に示すように、肌面によって弁体２２の肌当て突起２２ｂが塗布部２１の内方に向って押圧され、弁体２２の栓板部２２ａが弾性屈曲して吐出口２０を開の状態にし、この開いた状態の吐出口２０から処理剤が外方に吐出され、この処理剤が肌面に塗布される。電気カミソリ１ａは主にその厚み方向に肌面に対して摺動させて使用されるのであるが、本例では電気カミソリ１ａの厚み方向の各側方に塗布部２１である１対の連結ブロック部１４を配置しているので、処理剤を塗布した肌面の髭を確実に刃部４で切断できるようにされている。
【００２３】
上述したように、電気カミソリ１ａに処理剤供給アタッチメント２ａを着脱自在に装着するようにしているので、処理剤を肌面に塗布したいときには電気カミソリ１ａに処理剤供給アタッチメント２ａを装着すればよいものであり、また処理剤を肌面に塗布したくないときには処理剤供給アタッチメント２ａを装着しなければよいものであり、使用形態に合わせて使い勝手よく髭剃りを行うことができる。つまり、処理剤供給器具２である処理剤供給アタッチメント２ａを電気カミソリ１ａに装着すると、処理剤供給アタッチメント２ａのかさや重量によって電気カミソリ１ａの使用性がある程度損なわれてしまうのであるが、本例では処理剤を肌面に塗布したくないときには処理剤供給アタッチメント２ａを電気カミソリ１ａから取り外すことができるのであって、処理剤供給器具２を一体に備えた従来の電気カミソリ１ａに比べて、特に処理剤を肌面に塗布しないときの髭剃りの使用性が高められているのである。また、処理剤供給アタッチメント２ａの電気カミソリ１ａへの着脱も係止突起１１と係止爪２３との係脱で容易に行えるので、必要なときにはすぐに処理剤供給アタッチメント２ａを電気カミソリ１ａに装着すると共に必要でないときにはすぐに処理剤供給アタッチメント２ａを電気カミソリ１ａから取り外すことができ、使い勝手よく髭剃りを行うことができるのである。
【００２４】
また、肌面に処理剤を塗布して髭剃りを行った場合には特に刃部４の洗浄を行う必要があり、この刃部４の洗浄はヘッドハウジング３を本体ハウジング５から取外して行われるのであるが、本例では処理剤供給アタッチメント２ａを電気カミソリ１ａに装着した状態のままでも刃部４の洗浄を行うことができて便利である。つまり、処理剤供給アタッチメント２ａはヘッドハウジング３に設けた係止突起１１に係止爪２３を係止させて処理剤供給アタッチメント２ａに装着されているのであり、刃部４を洗浄する際に本体ハウジング５からヘッドハウジング３を取り外したときには、処理剤供給アタッチメント２ａもヘッドハウジング３と一緒に電気カミソリ１ａから取り外すことができ、電気カミソリ１ａの刃部４の洗浄の折に処理剤供給アタッチメント２ａが邪魔にならないで使い勝手の向上を図ることができるのである。
【００２５】
なお、処理剤供給アタッチメント２ａは、電気カミソリ１ａとは別体であると共に、電気カミソリ１ａとは独立して肌面に処理剤を塗布する機能を作用させることができるので、肌面に処理剤を塗布する際に処理剤供給アタッチメント２ａを単体で使用することもできる。これによると、処理剤供給アタッチメント２ａを単体で使用して肌面に処理剤を塗布し、その後、処理剤供給アタッチメント２ａを装着しないことで高い使用性を維持した電気カミソリ１ａを用いて髭剃りを行わせることができ、使い勝手よく髭剃りを行うことができるのである。
【００２６】
また、図７に示すように、電気カミソリ１ａの本体ハウジング５に係止突起１１を設け、この係止突起１１に係止爪２３を係止させて、処理剤供給アタッチメント２ａを体毛処理器具１の本体ハウジング５に着脱自在に取り付けたことも好ましいのである。これによると、電気カミソリ１ａへの接触面積を大きくして処理剤供給アタッチメント２ａを装着でき、処理剤供給アタッチメント２ａの電気カミソリ１ａへの固定状態が安定したものとなり、したがって、処理剤供給アタッチメント２ａを装着した電気カミソリ１ａを振ったとしても、容易には処理剤供給アタッチメント２ａが体毛処理器具１から外れないようにできるのである。
【００２７】
また、図８に示すように、処理剤供給アタッチメント２ａの左縦ブロック部１２及び右縦ブロック部１３の上端部分にも吐出口２０を有する塗布部２１を設けたことも好ましい。これによると、上記例の処理剤供給アタッチメント２ａに比べて、肌面の広い範囲に処理剤を塗布することができるのである。
【００２８】
また、図９に示すように、処理剤供給アタッチメント２ａの貯蔵部１６に処理剤を補充できるようにした挿し込み口２４を設けたことも好ましい。詳述すると、この挿し込み口２４には弾性材で形成した弁体２５が設けられており、この弁体２５は通常、処理剤の内圧により挿し込み口２４を閉じるようにされている。そして、この挿し込み口２４に外方から処理剤補充用ノズル等を挿し込むことで、弁体２５を貯蔵部１６内方に押し込んで挿し込み口２４を開の状態にし、処理剤補充用ノズルから補充用の処理剤を貯蔵部１６に圧力をかけて流入することで、処理剤供給アタッチメント２ａの貯蔵部１６に処理剤を補充できるようになっている。これによると、処理剤が切れても処理剤を何度でも貯蔵部１６に補充でき、処理剤供給アタッチメント２ａの使い勝手の向上を図ることができるのである。
【００２９】
また、図１０及び図１１に示すように、処理剤供給アタッチメント２ａの１対の連結ブロック部１４の間に幅狭の開口を有するスリット部２６を形成するように、この１対の連結ブロック部１４を左縦ブロック部１２及び右縦ブロック部１３の幅方向の略中央部分に架設して処理剤供給アタッチメント２ａを構成し、この処理剤供給アタッチメント２ａを電気カミソリ１ａに装着するときには、３つ並設した刃部４のうち中央の刃部４のみをスリット部２６に挿通させるようにして処理剤供給アタッチメント２ａを電気カミソリ１ａに装着するようにしたことも好ましい。これによると、図１１に示すように、処理剤供給アタッチメント２ａの塗布部を３つの刃部４間に位置させることができ、刃部４によって髭が切断される部位のすぐ近傍の肌面に処理剤を塗布させることができ、処理剤の効果を発揮させ易くできるのである。
【００３０】
また、この例では、処理剤供給アタッチメント２ａの中空空間を幅方向の中央部分を境にして２分するように構成している。つまり、貯蔵部１６と塗布部２１とで構成される処理剤供給部を処理剤供給アタッチメント２ａに２つ並設してある。これによると、処理剤供給部毎に異なる処理剤を配備することができ、個人の好みや肌の状態に合わせて必要な効果を有する処理剤を肌面に塗布することができたり、複数の処理剤の相乗効果を期待することができるのである。
【００３１】
また、図１２乃至図１６に本発明の実施の形態の例を示す。本例は、体毛処理器具１を電気カミソリ１ａで構成し、処理剤供給器具２を不使用時の電気カミソリ１ａが立て置かれる処理剤供給スタンド２ｂで構成した例である。つまり、不使用時の電気カミソリ１ａを処理剤供給スタンド２ｂに立て置いたときに、処理剤供給スタンド２ｂに設けた処理剤供給部によって電気カミソリ１ａの髭を剃る（体毛処理を行う）カミソリヘッド部に処理剤が供給されるようになっており、電気カミソリ１ａを使用時に、肌面に沿わせるカミソリヘッド部にあらかじめ供給されていた処理剤を肌面に塗布し、電気カミソリ１ａの刃部４で処理剤が塗布された肌面から生える髭を刈ることができるようにしたものである。以下、詳述する。
【００３２】
本例の電気カミソリ１ａは、その基本構造が先の参考例の電気カミソリ１ａと同様のものを用いており、重複する部位は図面に同じ番号を付して説明を省略し、相違する部分につき説明する。本例の電気カミソリ１ａは、カミソリヘッド部の並設された３つの刃部４の間のヘッドハウジング３の先端の部位に、処理剤を吸着させることのできる多孔質材から成る塗布部２７を設けている。この塗布部２７は、後述する処理剤供給スタンド２ｂに設けた処理剤供給部から供給された処理剤を付着させ、髭を剃るように電気カミソリ１ａを使用したときに肌面に当てて処理剤を肌面に塗布する部位である。しかして、この塗布部２７は、電気カミソリ１ａの先端方向に突出する刃部４と略同等に突出するように形成されている。また、塗布部２７は、例えばスポンジ、フェルト等の多孔質材で形成されているが、この多孔質材は処理剤供給部から供給された処理剤を溜めようとするものであるから、塗布部２７に付着させた処理剤を周囲にこぼしてしまうことが回避できると共に、肌面に徐々に処理剤を塗布させることができるのであり、違和感なく髭剃りを行わせることができるようになっている。
【００３３】
処理剤供給スタンド２ｂは、洗面台等の設置面に置く基台２８と、この基台２８上に設けた本体部２９とで主体が構成されている。基台２８には、電気カミソリ１ａを立て置く置き台部３０を設けており、この置き台部３０上に電気カミソリ１ａを立て置いた状態で電気カミソリ１ａの刃部４の上端に本体部２９の先端が臨むようにされている。本体部２９には、電気カミソリ１ａの塗布部２７に処理剤を供給する処理剤供給部を内装している。この処理剤供給部は、電気カミソリ１ａの塗布部２７に処理剤を供給する吐出部３１と、この吐出部３１に供給する処理剤を貯蔵する貯蔵部３２とで構成されている。貯蔵部３２は本体部２９の基端部分に設けられ、吐出部３１は貯蔵部３２から本体部２９の先端に至る部分に設けられている。
【００３４】
具体的に、貯蔵部３２はチューブ状の容器３３内に処理剤が貯蔵されて構成されている。なお、この処理剤が貯蔵された容器３３は本体部２９に開閉自在に設けられた蓋３４から取替可能にされている。また、吐出部３１は、置き台部３０上に立て置いた電気カミソリ１ａの塗布部２７上に臨む吐出口３５を一端に備えると共に、他端に上記貯蔵部３２を構成せる容器３３と接続する接続口３６を備えた流路であり、この流路の途中に上流側及び下流側にそれぞれ逆止弁３７，３８を備えたダイヤフラムポンプ３９を介在して構成されている。なお、このダイヤフラムポンプ３９には操作釦４０が一体に設けられている。この操作釦４０をダイヤフラムポンプ３９内に押し込むように押圧すると、図１３に示すように、ダイヤフラムポンプ３９の内圧の上昇によって、上流側の逆止弁３７が閉の状態になると共に下流側の逆止弁３８が開の状態になり、ダイヤフラムポンプ３９内にある処理剤が吐出口３５に供給される。そして、操作釦４０の押圧をやめると、図１４に示すように、ダイヤフラムポンプ３９が弾性復帰してダイヤフラムポンプ３９内の内圧が減少し、下流側の逆止弁３８が閉の状態になると共に上流側の逆止弁３７が開の状態になり、ダイヤフラムポンプ３９内に貯蔵部３２の処理剤が供給される。つまり、吐出部３１は、ダイヤフラムポンプ３９によって、処理剤の貯蔵部３２への逆流を防止しつつ、貯蔵部３２から処理剤を電気カミソリ１ａの塗布部２７に供給できるようにされている。
【００３５】
上述したように、不使用時の電気カミソリ１ａを処理剤供給スタンド２ｂに立て置いた状態で、処理剤供給スタンド２ｂのダイヤフラムポンプ３９の操作釦４０を押圧すると、位置決めして立て置かれた電気カミソリ１ａの塗布部２７に、処理剤供給スタンド２ｂの処理剤供給部から処理剤が確実に供給されるようになっている。そして、肌面に処理剤を塗布して髭剃りを行う際には、上述のようにして塗布部２７に処理剤を付着させた電気カミソリ１ａを処理剤供給スタンド２ｂから取外し、この電気カミソリ１ａの塗布部２７を肌面に押圧し、この塗布部２７から肌面に処理剤を塗布し、刃部４で処理剤を介して髭を剃るようにされるのである。つまり、本例では、処理剤を肌面に塗布する・しないに関わらず髭を剃るときには、処理剤供給器具２（処理剤供給スタンド２ｂ）を備えない状態の単体の電気カミソリ１ａを用いるようにされているのである。
【００３６】
処理剤を肌面に塗布する・しないに関わらず髭を剃るときに、処理剤供給器具２を一体に備えた電気カミソリ１ａを用いて行い、電気カミソリ１ａに一体に備えた処理剤供給器具２による電気カミソリ１ａの使用性の劣化という問題を有していた従来技術と比較すると、処理剤供給器具２から取り外して電気カミソリ１ａを単体で用いることのできる本例では上記問題は生じないことから、本例は従来に比べて使い勝手よく髭剃りを行うことが可能にされているのである。
【００３７】
なお、本例の電気カミソリ１の使用態様として、処理剤供給スタンド２ｂを介さず、電気カミソリ１の塗布部２７に直接処理剤を滴下して供給してもよく、また、電気カミソリ１の塗布部２７を固形処理剤で形成させるようにしてもよいものである。これによると、処理剤供給スタンド２ｂが無くても電気カミソリ１だけで使い勝手よく髭剃りが行えるものであり、たとえば処理剤供給スタンド２ｂが故障してしまったときなどに有効である。
【００３８】
また、図１５に示すように、電気カミソリ１ａに内装した電池を充電可能な充電電池で構成すると共に、処理剤供給スタンド２ｂの基台２８に充電部４１を内装し、基台２８の置き台部３０に不使用時の電気カミソリ１ａを立て置いた状態で上記充電部４１によって電気カミソリ１ａの充電電池に充電を行うようにしたことも好ましい。これによると、電気カミソリ１ａの塗布部２７への処理剤の供給に併用して電気カミソリ１ａへの充電をも行うことができて使い勝手が向上するものである。
【００３９】
また、図１６に示すように、処理剤供給部の吐出部３１を、貯蔵部３２にある処理剤を吸着させて塗布部２７に至らしめる多孔質材４２で形成したことも好ましい。つまり、この吐出部３１を構成する多孔質材４２は、一端を貯蔵部３２を構成する容器３３内に位置させると共に、他端を置き台部３０に立て置いた電気カミソリ１ａの塗布部２７に接触させるように形成されており、貯蔵部３２の処理剤をこの吐出部３１の多孔質材４２を介して電気カミソリ１ａの塗布部２７に伝わせ得るようにされている。なお、この多孔質材４２の吐出部３１は、容器３３内に位置した部位と電気カミソリ１ａの塗布部２７に接触する部位を除き、処理剤を透過させない管路状容器４３内に配置されている。これによると、処理剤供給部の吐出部３１に塗布部２７にまで処理剤を送るダイヤフラムポンプ３９等が不要になり、この吐出部３１の構造を簡単化でき、処理剤供給スタンド２ｂの製造コストの低減化を図ることができるのである。
【００４０】
上述した本発明の実施の形態の例では、体毛処理器具１として電気カミソリ１ａを用いた例を説明してきたが、ローション等の処理剤を肌面に塗布しての使用が想定されるものを体毛処理器具１として想定してもよく、たとえば体毛処理器具１として無駄毛を抜く電動毛抜き器を用いてもよいのは言うまでもない。
【００４１】
【発明の効果】
上記のように本発明の請求項１記載の発明にあっては、体毛を剃ったり引き抜いたりする体毛処理を行う体毛処理部に塗布部を設け、この塗布部によって体毛処理が行われる肌面に処理剤を塗布するように体毛処理器具を構成し、この体毛処理器具が立て置かれる処理剤供給スタンドに、立て置かれた体毛処理器具の塗布部に処理剤を供給する吐出部と、この吐出部に供給する処理剤を貯蔵する貯蔵部とを備えたので、体毛処理器具を処理剤供給スタンドに立て置いた状態で体毛処理器具の塗布部に処理剤が供給され、処理剤供給スタンドから外した体毛処理器具の塗布部によって肌面に処理剤を塗布することができるのであって、肌面に処理剤を塗布して体毛処理を行う際、肌面に処理剤を塗布しないで体毛処理を行う際のいずれにも、処理剤供給器具を装着しない体毛処理器具を単体で用いて体毛処理を行わせることができ、つまり、処理剤供給機器を装着して使い勝手の悪化した体毛処理器具を使用しなくてよく、したがって使い勝手よく体毛処理を行うことができるのである。
【００４９】
また、請求項２記載の発明にあっては、請求項１の効果に加えて、上記塗布部を、処理剤を吸着させる多孔質材で形成したので、多孔質材で形成した塗布部は処理剤を溜めようとするので、肌面に徐々に処理剤を塗布できて違和感なく体毛処理を行わせることができると共に、塗布部に含ませた処理剤を周囲にこぼしてしまうことも回避できるのであり、使い勝手よく体毛処理を行うことができるのである。
【００５０】
また、請求項３記載の発明にあっては、請求項１の効果に加えて、立て置かれた体毛処理器具の電源部に充電を行う充電部を処理剤供給スタンドに設けたので、体毛処理器具の塗布部への処理剤の供給に併用して体毛処理器具への充電を行うことができ、体毛処理器具の使い勝手の向上を図ることができる。
【００５１】
また、請求項４記載の発明にあっては、請求項１の効果に加えて、上記吐出部を、貯蔵部にある処理剤を吸着させて塗布部に至らしめる多孔質材で形成したので、塗布部にまで処理剤を送るポンプ等が不要で構造を簡単化でき、製造コストの低減化を図ることができるのである。
【図面の簡単な説明】
【図１】参考例を示す正面図である。
【図２】同上の側面図である。
【図３】同上の側面断面図である。
【図４】同上の処理剤供給アタッチメントを示す斜視図である。
【図５】同上の処理剤供給アタッチメントの動作を説明する説明図である。
【図６】同上の処理剤供給アタッチメントの動作を説明する説明図である。
【図７】同上の他例を示す正面図である。
【図８】同上の他例を示す処理剤供給アタッチメントの斜視図である。
【図９】同上の他例を示す正面断面図である。
【図１０】同上の他例を示す処理剤供給アタッチメントの斜視図である。
【図１１】同上の側面断面図である。
【図１２】本発明の実施の形態の例を示す一部断面の正面図である。
【図１３】同上の処理剤供給スタンドの動作を説明する説明図である。
【図１４】同上の処理剤供給スタンドの動作を説明する説明図である。
【図１５】同上の他例を示す一部断面の正面図である。
【図１６】同上の他例を示す一部断面の正面図である。
【図１７】従来技術の例を示す側面断面図である。
【図１８】従来技術の他例を示すハウジングを透視した正面図である。
【符号の説明】
１ 体毛処理器具
１ａ 電気カミソリ
２ 処理剤供給器具
２ａ 処理剤供給アタッチメント
２ｂ 処理剤供給スタンド
３ ヘッドハウジング
４ 刃部
５ 本体ハウジング
１６ 貯蔵部
２０ 吐出口
２１ 塗布部
【図１】
0004100047.tif 000002
【図２】
0004100047.tif 000003
【図３】
0004100047.tif 000004
【図４】
0004100047.tif 000005
【図５】
0004100047.tif 000006
【図６】
0004100047.tif 000007
【図７】
0004100047.tif 000008
【図８】
0004100047.tif 000009
【図９】
0004100047.tif 000010
【図１０】
0004100047.tif 000011
【図１１】
0004100047.tif 000012
【図１２】
0004100047.tif 000013
【図１３】
0004100047.tif 000014
【図１４】
0004100047.tif 000015
【図１５】
0004100047.tif 000016
【図１６】
0004100047.tif 000017
【図１７】
0004100047.tif 000018
【図１８】
0004100047.tif 000019